(57)【要約】【課題】内部に時刻情報を持たない無線機において、障害内容の解析のため発生した障害情報を記憶部に記憶する場合、障害の解析に重要な発生時刻についての情報が得られない。【解決手段】データ端末装置と、上記データ端末装置のデータを無線回線で送信する無線機と、上記無線機からの上記データを基地局無線機を介して受信する統制局を有し、上記無線機は、制御部と記憶部を有し、上記制御部は、上記無線機の障害をチェックする機能および上記統制局あるいは上記データ端末装置のいずれかから送られる間欠的な時刻情報を上記記憶部に記録すると共に、上記無線機の障害発生時に上記記憶部に記憶されている上記時刻情報と関連付けて上記無線機の障害を上記記憶部に記憶するように構成される。【選択図】図１
2008288671.tif 000002
【特許請求の範囲】
【請求項１】
データ端末装置と、上記データ端末装置のデータを無線回線で送信する無線機と、上記無線機からの上記データを基地局無線機を介して受信する統制局を有し、上記無線機は、制御部と記憶部を有し、上記制御部は、上記無線機の障害をチェックする機能および上記統制局あるいは上記データ端末装置のいずれかから送られる間欠的な時刻情報を上記記憶部に記録すると共に、上記無線機の障害発生時に上記記憶部に記憶されている上記時刻情報と関連付けて上記無線機の障害を上記記憶部に記憶することを特徴とする無線通信システム。
【請求項２】
請求項１記載の無線通信システムにおいて、上記制御部は、更に、クロックカウンターを有し、上記時刻情報に基づいて上記クロックカウンターを制御すると共に、上記無線機の障害発生時に上記クロックカウンターのカウント値に関連する情報を上記無線機の障害情報と共に上記記憶部に記憶したことを特徴とする無線通信システム。
【発明の詳細な説明】
【技術分野】
【０００１】
本発明は、無線通信システムに関し、特に、無線機で発生する各種障害を時間情報と共に記録する無線通信システムに関するものである。
【背景技術】
【０００２】
従来、無線通信システムを用いて遠隔地にあるデータ端末装置から種々のデータを無線回線を介して統制局に収集する無線通信システムが知られている。このような無線通信システムの一例を図６を用いて説明する。図６は、従来の無線通信システムの概略構成のブロック図を示す。図６において、６０１は、情報端末装置である。情報端末装置６０１は、無線機６０２とデータ端末装置６０３で構成されている。なお、無線機６０２は、移動無線機で構成することもできる。無線機６０２は、データを収集するデータ端末装置６０３と、例えば、有線伝送路６０４で結合され、データ端末装置６０３から送られるデータを無線回線を介して基地局に送信する。また、図６では、情報端末装置６０１は、１台のみ示してあるが、１台に限定されるものではなく、複数台使用されるのが一般的である。
【０００３】
６０５−１、・・・６０５−ｎは、基地局無線機である。なお、基地局無線機を代表する場合は、基地局無線機６０５と称する。６０６は、統制局であり、各基地局無線機６０５からのデータを有線伝送路６０７−１、・・・６０７−ｎで統制局６０６に送信する。
【０００４】
上述の無線通信システムは、統制局６０６と情報端末装置６０１の間のデータ通信を行なうものである。ここで、無線機６０２の役割は、データ端末装置６０３から、例えば、ＲＳ２３２Ｃの有線で送られるデータを無線回線で基地局無線機６０５に送信する。基地局無線機６０５は、データ端末装置６０３からのデータを、ＲＳ２３２Ｃの有線伝送路６０７で統制局６０６に出力する。
【０００５】
情報端末装置６０１から基地局無線機６０５にデータを送信する場合の送信フォーマットを図８に示している。図８において、８０１は、メッセージ種別である。８０２は、発呼局ＩＤ、例えば、情報端末装置６０１の無線機６０２の番号またはＩＤである。８０３は、着呼局ＩＤ、例えば、基地局無線機６０５−１の番号またはＩＤである。８０４は、データ端末装置６０３から送信されるデータである。このデータフォーマットは、約１００ｍｓの長さを有し、この繰り返しによって各種デジタルデータを送信している。
【０００６】
一方、統制局６０６から情報端末装置６０１へのデータ伝送の場合、基地局無線機６０５は、統制局６０６から、有線（例えばＲＳ２３２Ｃ）で送られるデータを無線回線で情報端末装置６０１に送信する。無線機６０２は、統制局６０６からのデータを有線でデータ端末装置６０３に出力する。なお、基地局無線機６０５−１から情報端末装置６０１の無線機６０２にデータを送信する場合のデータフォーマットも図８に示すデータフォーマットと類似している。この場合の発呼局ＩＤ８０２は、基地局無線機６０５−１の番号またはＩＤであり、着呼局ＩＤ８０３は、情報端末装置６０１の無線機６０２の番号またはＩＤであり、データ８０４は、統制局６０６から送信するデータである。
【０００７】
上述した無線通信システムにおいて、例えば、情報端末装置６０１の無線機６０２は、データ端末装置６０３と基地局無線機６０５との間を無線回線で接続する重要な無線機であるが、この無線機６０２が障害等により故障が発生すると、データ端末装置６０３からのデータが送信されないという問題が発生し、無線通信システムとしての信頼性が低下する。従って、従来から無線機６０２については、障害を検出し、記録する方法がとられている。これについて更に詳細に説明する。
【０００８】
図７は、無線機６０２の障害記録方法を説明するためのブロック図を示す。図７において、７０１は、無線機６０２全体の制御を行なうマイクロコンピュータ等の制御部（以下ＭＰＵと略記する。）、７０２は、ＭＰＵ７０１に接続したメモリ、７０３は、各種機能を持つＬＳＩ（large Scale Integrated Circuit）、７０４は、送信／受信部、７０５は、ＭＰＵ７０１と外部機器との接続用インタフェース部（以下、外部ＩＦ部と略記する。）、７０６は、無線機６０２に電源を供給するバッテリ、７０７は、電源電圧の低下を検出する電圧監視部、７０８は、バッテリ出力を各ユニットで必要な電圧に変換する電源部および７０９は、電源スイッチである。
【０００９】
次に、この無線機６０２の障害記録方法の動作を説明する。まず、電源スイッチ７０９がオンされると、バッテリ７０６からの電圧が電源部７０８に供給され、電源部７０８から無線機６０２の各ユニット（図示せず。）に電源が供給される。バッテリ電圧が正常である場合、電圧監視部７０７は、電圧チェック結果ＯＫ（正常）をＭＰＵ７０１に対して出力する。例えば、電圧チェック結果ＯＫの場合は、論理レベル（Ｈ）（Ｈ：highを示す。以下同様である。）を出力する。一方、電圧チェック結果ＮＧ（異常）の場合、ＭＰＵ７０１に対して論理レベル（Ｌ）（Ｌ：lowを示す。以下同様である。）を出力する。そして、電圧監視部からの電圧チェック結果がＯＫの場合、ＭＰＵ７０１は、各ユニットに対するイニシャル処理を開始する。各ユニットには、既に電源部７０８から電源が供給されている。なお、イニシャル処理は、前もってＭＰＵ７０１内部の、例えば、ＲＯＭ（Read only memory）に各ユニットに対するイニシャル処理プログラムが記憶されており、電源部７０８から各部に電源が供給されると、各ユニットに対するイニシャル処理プログラムが実行されるように構成されている。
【００１０】
ここで、イニシャル処理について説明する。例えば、メモリ７０２のイニシャル処理とは、メモリ７０２に所定のデータを書込み（ＷＲデータ）、これを読み出し（ＲＤデータ）、記録されている情報が正しいものであるかを調べる、所謂、メモリのサムチェック試験を行う。即ち、メモリ７０２の情報が正しい場合、メモリのサムチェック結果の出力が、例えば、０となる。メモリ７０２の情報が正しくない場合、メモリのサムチェック結果の出力が０とならない。
【００１１】
ＬＳＩ７０３のイニシャル処理について説明する。無線機６０２は、後述するように送信部、受信部で構成されるが、これら送信部、受信部にも、最近では、ＦＰＧＡ（Field Programmable Gate Array）のようなＬＳＩ７０３を使用することがある。このＦＰＧＡは、自己診断機能を持っており、電源投入によりＭＰＵ７０１から各種の制御信号が送信され、セルフチェックを開始する。そして、セルフチェックの結果がＭＰＵ７０１に出力される。例えばセルフチェック結果が正常であれば、論理レベルＨ（正常）を出力し、異常であれば論理レベルＬ（異常）を出力する。
【００１２】
また、送信／受信部７０４についても同様にイニシャル処理が実行される。送信／受信部７０４のイニシャル処理とは、例えば、ＭＰＵ７０１が送信／受信部７０４に対して無線機６０２の無線通信周波数に対応するシンセサイザ設定データを出力する。送信／受信部７０４では、シンセサイザ設定データに基づいて内部のシンセサイザが所定の無線通信周波数に自動設定される。そして、設定した周波数にロックしたか否かをシンセロック信号でＭＰＵ７０１に通知する。例えばシンセサイザがロックすれば、論理レベルＨ（正常）を出力し、ロックしなければ、論理レベルＬ（異常）を出力する。
【００１３】
以上のようにしてＭＰＵ７０１は、無線機６０２のメモリ７０２に対するサムチェック試験、ＬＳＩ７０３の自己診断結果の確認、送信／受信部７０４のシンセサイザロックの確認等のイニシャル処理を実行し、これらの全てが正常であれば、無線機としての動作を開始する。しかし、何れか一つでも障害が発見された場合は、障害発生内容をメモリ７０２に記録する。
【００１４】
次に、障害発生の記録について表１を用いて説明する。表１は、例えば、上述した障害発生の内容をメモリ７０２に記憶する場合の障害発生コード化テーブルを示している。
【００１５】
【表１】
2008288671.tif 000003
表１において、部署名は、例えば、上述したイニシャル処理を実行した部署（または、部品、ユニット等）の名前を示し、検出結果の表示は、例えば、電源の場合では、正常な場合、０１Ｈ、電圧低下の場合、０１Ｌをコード情報として記録する。メモリ７０２の場合では、正常な場合、０２Ｈ、異常の場合、０２Ｌをコード情報として記録する。また、ＬＳＩ７０３の場合では、正常な場合、０３Ｈ、異常の場合、０３Ｌをコード情報として記録する。同様に、送信／受信部７０４のシンセサイザの場合では、周波数がロックした場合、０４Ｈ（ロック）、周波数がアンロックの場合、０４Ｌ（アンロック）をコード情報として記録する。
【００１６】
次に、無線機６０２の障害内容がメモリ７０２に記録される場合について表２を用いて説明する。表２は、障害が発生した場合の障害履歴テーブルであり、メモリ７０２に蓄積されている。
【００１７】
【表２】
2008288671.tif 000004
表２において、アドレスは、メモリ７０２内の番地を示し、かつ、障害の発生順にメモリ７０２に記録されている状態を示している。即ち、障害の発生順序は、Ａ０００、Ａ００１、・・・Ａ００５、・・・の順序で発生したことを表している。部署は、障害のチェック個所を示す。チエック結果は、先に説明した正常（Ｈ）、異常（Ｌ）のコード情報で記録されている。なお、チェック結果には、正常、異常のコード情報の外にチェック回数も記録されている。例えば、０１Ｈ００１の下３桁の“００１”は、第１回目の電源チェックを表している。同様に、０２Ｌ００２は、第２回目のメモリチェックを表している。障害の内容は、先に説明したチェック結果の障害内容を表示している。例えば、アドレスＡ０００から順に、割当てられた障害記憶エリアに障害が発生した順に順次記憶される。表２の例では、最初にＡ００１のＬＳＩ自己診断エラーが発生し、次に、Ａ００４のメモリの異常が発生したことを示している。なお、表２では、正常な場合もメモリ７０２に記録した場合を示しているが、異常のみを記録することもできる。
【００１８】
このようにして障害発生内容がメモリ７０２に表２に示される障害履歴テーブルとして記録されているので、例えば、統制局６０６の操作部（図示せず。）を操作して無線機６０２のメモリ７０２の表２に示す障害履歴テーブルを読み出し、無線機６０２の障害内容を統制局６０６の表示部（図示せず。）に表示することによって、操作者は、無線機６０２の障害内容を把握することができる。あるいは、外部ＩＦ部７０５にパソコン等を接続し、メモリ７０２に記憶している障害内容を読み出して確認することもできる。また、無線機６０２本体に表示部（図示せず。）を持つ場合は、表示部に障害内容を表示することも可能である。従って、システム内の何らかの原因により、データ端末〜統制局間の通信に障害が発生した場合に、障害原因解析の一手段として、本無線機に記憶されている障害履歴テーブルを調べることで、システムの障害を発見することが可能となる。
【００１９】
ところで、一般的にマイクロコンピュータ等を制御部に使用した小規模な無線機は、無線機内部に時刻情報を発生するタイマーを持っていないのが普通である。上述した無線通信システムの情報端末装置の無線機も時刻情報を発生するタイマーを持っていないため、発生した障害情報を障害の発生した順序にメモリに記憶している。そして、障害の履歴等を解析して障害対策を行う場合、メモリに記憶されている障害の順番により、おおよその解析を行うことができるが、障害の解析に重要な障害発生時刻についての情報がない。例えば、システム障害が発生した場合の時刻と無線機の障害内容との対応が付き難いため、顧客のシステム障害の対応に十分に答えられない。従って、簡単な構成で時間情報が付加できる無線通信システムの実現が望まれている。
【００２０】
【特許文献１】特開２００５−２０３９９９号公報
【発明の開示】
【発明が解決しようとする課題】
【００２１】
従来の無線通信システムでは、障害の履歴等を解析して障害対策を行う場合、メモリに記憶されている障害の順番により、おおよその解析を行うことができるが、障害の解析に重要な障害発生時刻についての情報がないため、システム障害が発生した場合の時刻と無線機の障害内容との対応が付き難く、顧客のシステム障害の対応に十分に答えられない。
【００２２】
本発明の目的は、システム障害に対応可能な無線通信システムを提供することである。
【００２３】
本発明の他の目的は、簡単な構成で時間情報を入手できる無線通信システムを提供することである。
【００２４】
本発明の更に他の目的は、マイクロコンピュータ等の制御部の負担を軽減し、障害の発生と時刻情報を関連付けることができる無線通信システムを提供することである。
【課題を解決するための手段】
【００２５】
本発明の無線通信システムは、データ端末装置と、上記データ端末装置のデータを無線回線で送信する無線機と、上記無線機からの上記データを基地局無線機を介して受信する統制局を有し、上記無線機は、制御部と記憶部を有し、上記制御部は、上記無線機の障害をチェックする機能および上記統制局あるいは上記データ端末装置のいずれかから送られる間欠的な時刻情報を上記記憶部に記録すると共に、上記無線機の障害発生時に上記記憶部に記憶されている上記時刻情報と関連付けて上記無線機の障害を上記記憶部に記憶するように構成される。
【００２６】
また、本発明の無線通信システムにおいて、上記無線機の障害発生時に上記記憶部に記憶されている時間情報と関連付けて上記無線機の障害を上記記憶部に記憶する場合、上記時間情報は、前もって定められた時間間隔の時刻情報である。
【００２７】
また、本発明の無線通信システムにおいて、上記制御部は、更に、クロックカウンターを有し、上記時刻情報に基づいて上記クロックカウンターを制御すると共に、上記無線機の障害発生時に上記クロックカウンターのカウント値に関連する情報を上記無線機の障害情報と共に上記記憶部に記憶するように構成される。
【発明の効果】
【００２８】
以上説明したように、本発明によれば、無線機内部に時刻情報を持たない無線機において、障害解析に重要な障害発生時刻情報を関連付けて、障害の内容とともに記憶することが可能であり、障害解析についての手掛りを増すことができるので、システム障害に対応可能な無線通信システムを実現できる。また、簡単な構成で時間情報を入手できる無線通信システムを実現でき、更に、マイクロコンピュータ等の制御部の負担を軽減し、障害の発生と時刻情報を関連付けることができる特徴がある。
【発明を実施するための最良の形態】
【００２９】
本発明の一実施例を図１〜図５を用いて説明する。図１は、本発明の一実施例の概略構成のブロック図を示す。図１において、１０１は、無線機、１０２は、統制局および１０３は、タイマーを示す。なお、図６と同じものには、同じ符号が付されている。
【００３０】
図１に示される無線通信システムは、統制局１０２と情報端末装置６０１の間のデータ通信を行なうものであるが、統制局１０２は、タイマー装置１０３を備えている。このタイマー装置１０３は、標準時間に同期して動作している。標準時間に同期して動作させる方法としては、従来周知のＧＰＳ（Global Positioning System）からの時間情報に同期させる方法あるいは電波時計で正確な時間を計数する等の方法がある。
【００３１】
図３は、本発明で用いられる統制局１０２と基地局無線機６０５−１の概略構成のブロック図を示す。図３において、統制局１０２は、制御部３０１、記憶部３０２、表示部３０３および操作部３０４で構成されている。また、制御部３０１は、タイマー装置１０３を有している。基地局無線機６０５−１は、送信用無線機３０５と受信用無線機３０６で構成されている。なお、図３では、統制局１０２と基地局無線機６０５−１とは、伝送路６０７−１で結合されている場合を示しているが、統制局１０２と基地局無線機６０５−１とは、一体に構成することもできる。
【００３２】
また、図４は、情報端末装置６０１の概略構成を示すブロック図である。なお、図４で示す無線機は、例えば、上り方向無線キャリアｆおよび下り方向無線キャリアＦのペア波が用いられる。図４において、４０１は、基地局無線機６０５−１との送受信を行うためのアンテナ、４０２は、送信と受信の切換スイッチ、４０３は、受信部である。受信部４０３は、高周波部、中間周波部４０４と受信信号処理部４０５を有している。なお、この受信部は、例えば、ＦＰＧＡのようなＬＳＩで構成されている。４０６は、周波数シンセサイザであり、ＭＰＵ２０１の制御により受信部および送信部の周波数を定めている。４０７は、送信部であり、高周波部、中間周波部４０８と送信信号処理部４０９を有している。なお、この送信部も例えば、ＦＰＧＡのようなＬＳＩで構成されている。４１０は、表示部、４１１は、操作部である。２０１は、無線機１０１を制御するＭＰＵ、２０２は、ＲＡＭ、２０３、２０４、２０５は、無線機１０１の各部に供給される電圧の電圧端子であり、例えば、３Ｖ、５Ｖ、８Ｖのような異なる電圧端子である。なお、図４では、接続先は、省略してある。また、図１および図２と同じものには同じ符号が付されている。
【００３３】
まず、統制局１０２から情報端末装置６０１へのデータ伝送の場合、基地局無線機６０５は、統制局１０２から、有線（例えばＲＳ２３２Ｃ）で送られるデータおよび時刻情報を無線回線で情報端末装置６０１に送信する。無線機１０１は、統制局１０２からの時間情報およびデータを受信すると、無線機１０１のＭＰＵ２０１は、時刻情報を後述するＲＡＭ（Random Access Memory）２０２（一般的には、記憶部である。）に記憶すると共に、データを有線６０４でデータ端末装置６０３に出力する。
【００３４】
基地局無線機６０５−１から情報端末装置６０１の無線機１０１に時刻情報およびデータを送信する場合のデータフォーマットを図５に示している。図５において、５０１は、メッセージ種別である。５０２は、発呼局ＩＤ、例えば、基地局無線機６０５−１の番号またはＩＤである。５０３は、着呼局ＩＤ、例えば、情報端末装置６０１の無線機１０１の番号またはＩＤである。５０４は、統制局１０２から送信されるデータである。５０６は、統制局１０２のタイマー装置１０３から送られる時間情報である。なお、データフォーマットは、約１００ｍｓの長さを有し、この繰り返しによって各種デジタルデータを送信している。
【００３５】
さて、上述の時刻データ５０６の送り方について説明する。時刻データ５０６の送り方は、例えば、統制局１０２から何らかのデータを無線機６０５−１から無線機１０１に送信する場合、データ５０４の一部のビットを用いてタイマー１０３の時刻情報５０６を送信する場合と、データ送信とは、無関係に所定の時間間隔でタイマー１０３の時刻情報５０６を送信する場合とがある。
【００３６】
一方、情報端末装置６０１から統制局１０２へのデータ伝送の場合、データ端末装置６０３から、有線（例えばＲＳ２３２Ｃ）６０４で送られるデータを無線機１０１を用いて無線回線で基地局無線装置６０５−１に送信する。基地局無線装置６０５−１は、送られてくるデータを有線で統制局１０２に出力する。なお、情報端末装置６０１の無線機１０１から基地局無線機６０５−１にデータを送信する場合のデータフォーマットも図５に示すデータフォーマットと類似しているが、時刻情報５０６は、不要である。また、この場合の発呼局ＩＤ５０２は、情報端末装置６０１の無線機１０１の番号またはＩＤであり、着呼局ＩＤ５０３は、基地局無線機６０５−１の番号またはＩＤとなる。また、データ５０４は、データ端末装置６０３から送られるデータである。
【００３７】
ここで、図４で示される無線機１０１の時刻情報の取得について説明する。先に説明したように本発明の無線通信システムで用いられる無線機１０１には、時刻情報を生成するタイマー装置を内蔵していないので、先に説明したように統制局から送られてくる時刻情報を記憶している。そして、この時刻情報に基づいて無線機の障害の内容と共に、障害解析に重要な障害発生時刻情報を関連付けて記憶する工夫がなされている。以下、これについて詳細に説明する。
【００３８】
【表３】
2008288671.tif 000005
表３は、統制局１０２のタイマー装置１０３の時刻と無線機１０１のＲＡＭ（Random Access Memory）２０２に記憶される時刻との関係を示しており、“統制局タイマーの時刻”は、統制局１０２の制御部３０１のタイマー１０３の時刻を示し、“無線機のＲＡＭに記録される時刻”は、例えば、無線機１０１のＲＡＭ２０２（一般的には、記憶部）に記録される時刻、即ち、時刻情報テーブルを示している。そして、統制局１０２のタイマー装置１０３は、標準時間を順次、計時している。例えば、・・・2007年7月20日12時00分00秒から１秒刻みに時刻をカウントしている。これに対して統制局１０２から基地局無線機６０５−１を介して送られる時刻情報は、例えば、５分間隔の周期的な時間間隔、2007年7月20日12時00分00秒、2007年7月20日12時05分00秒、2007年7月20日12時10分00秒、・・・で無線機１０１に送信されるので、無線機１０１のＭＰＵは、これら時刻情報を検出してＲＡＭ２０２に記憶すると、表３の“無線機のＲＡＭに記録される時刻”に示すような時刻情報テーブルとなる。なお、時刻情報の送信は、先に図５で説明した通りである。
【００３９】
次に、本発明の無線機１０１の障害記録方式について図２および表４を用いて説明する。図２は、無線機１０１の障害記録方法を説明するためのブロック図を示す。なお、障害の検出方法は、図７で詳細に説明したので、ここでは簡単に説明し、障害検出と時刻情報の付与について説明する。
【００４０】
まず、電源スイッチ７０９がオンされると、バッテリ７０６からの電圧が電源部７０８に供給され、電源部７０８から無線機１０１の各ユニット（図４に示す。）に電源が供給される。バッテリ電圧が正常であるかどうかの判断は、例えば、本実施例では、バッテリ電圧として１３．８Ｖを用いているので、電圧監視部７０７では、約１０％低下した電圧に閾値を設定し、１０％以内の低下の場合、電圧監視部７０７は、電圧チェック結果ＯＫ（正常）をＭＰＵ２０１に対して出力する。例えば、電圧チェック結果ＯＫの場合は、論理レベル（Ｈ）（Ｈ：highを示す。以下同様である。）を出力する。一方、１０％以上電圧低下した場合、異常と判断し、ＭＰＵ２０１に対して論理レベル（Ｌ）（Ｌ：lowを示す。以下同様である。）を出力する。
【００４１】
ここで、電源スイッチ７０９がオンされ、電圧監視部７０７での電圧チェック結果が正常であると、電圧監視部７０７は、ＣＰＵ２０１に論理レベル（Ｈ）を出力する。ＣＰＵ２０１では、電圧監視部７０７から入力される電圧チェック結果をメモリ７０２に蓄積すると同時に、ＲＡＭ２０２に記録されている時刻情報を読出し、電圧チェック結果に関連付けて記録する。これを表４に示す。
【００４２】
【表４】
2008288671.tif 000006
表４は、ＲＡＭの時刻情報と障害チェック結果を関連付けてメモリ７０２に記録した時刻情報と障害検出結果との関係を示すテーブルである。例えば、上記のように電圧監視部７０７での電圧チェック結果がＣＰＵ２０１に入力された時点が、ＲＡＭ２０２に記録された時刻、例えば、2007.7.20.12.00.00（2007年7月20日、12時00分00秒を意味する。以下同様）以降であれば、Ｎｏ．１の時刻枠に対応付けて記録する。即ち、時間枠Ｎｏ．１は、2007年7月20日、12時00分00秒以降で、2007年7月20日、12時05分00秒以前の検出結果を対応付ける時間枠であり、アドレスは、例えば、Ａ０００から開始し、チェック結果を書込む毎に１つずつ更新する。部署は、この場合、電源部、チェック結果のコードは、先に説明した０１Ｈ００１が記憶され、障害内容の説明には、第１回目正常が記憶される。
【００４３】
続いて、電圧監視部７０７からの電圧チェック結果がＯＫの場合、ＭＰＵ２０１は、各ユニットに対するイニシャル処理を開始する。まず、メモリ７０２の第１回目のイニシャル処理が実行される。即ち、メモリ７０２に所定のデータを書込み（ＷＲデータ）、これを読み出し（ＲＤデータ）、記録される情報が正しいものであるかを調べるサムチェック試験が行われる。メモリ７０２の情報が正しくない場合、メモリのサムチェック結果の出力が０とならない。この時点が2007年7月20日、12時00分00秒以降で、2007年7月20日、12時05分00秒以前であれば、表４に示されるように、アドレス：Ａ００１、部署：メモリ、チェック結果：０２Ｌ００１、障害の内容：第１回目（異常）が時刻枠Ｎ０．１に記録される。
【００４４】
次に、ＬＳＩ７０３のイニシャル処理では、例えば、ＦＰＧＡが自己診断機能を持っているので、電源投入によりＭＰＵ７０１から各種の制御信号が送信され、セルフチェックを開始する。そして、セルフチェックの結果がＭＰＵ７０１に出力される。例えば、セルフチェック結果が異常であれば、論理レベルＬ（異常）を出力する。この出力時点が2007年7月20日、12時10分00秒以降で、2007年7月20日、12時15分00秒以前であれば、表４に示されるように、アドレス：Ａ００２、部署：ＬＳＩ、チェック結果：０３Ｌ００１、障害の内容：第１回目（自己診断エラー）が時刻枠Ｎ０．３に記録される。
【００４５】
また、送信／受信部７０４についても同様にイニシャル処理が実行される。送信／受信部７０４では、シンセサイザ設定データに基づいて内部のシンセサイザが所定の無線通信周波数に自動設定される。そして、設定した周波数にロックしたか否かをシンセロック信号でＭＰＵ７０１に通知する。例えば、シンセサイザがロックすれば、論理レベルＨ（正常）を出力する。この出力時点が2007年7月20日、12時10分00秒以降で、2007年7月20日、12時15分00秒以前であれば、表４に示されるように、アドレス：Ａ００３、部署：シンセサイザ、チェック結果：０４Ｈ００１、障害の内容：第１回目周波数ロックが時刻枠Ｎ０．３に記録される。以下同様に第２回目以降が順次記録される。なお、時間枠Ｎｏ．２の“なし”の表示は、2007年7月20日、12時05分00秒以降で、2007年7月20日、12時10分00秒以前には、障害チェック結果がＭＰＵ２０１に出力されなかったことを示している。
【００４６】
以上のようにしてＭＰＵ２０１は、電源部７０８の電圧チェック、無線機１０１のメモリ７０２に対するサムチェック試験、ＬＳＩ７０３の自己診断、送信／受信部７０４のシンセサイザロック等のイニシャル処理を実行し、これらの全てが正常であれば、無線機としての動作を開始する。しかし、何れか一つでも障害が発見された場合は、障害発生内容をメモリ７０２に記録する。なお、表４では、各部署のイニシャル処理による正常、異常の情報を全て記憶しているが、異常の場合のみ記憶することもできる。また、ＲＡＭの時刻情報も、本実施例では５分毎に時間枠を定めて記憶しているが、無線通信システムの規模、目的に応じて種々変更が可能である。また、障害のチェック項目も本発明の実施例に限定されるものではない。
【００４７】
以上、本発明について詳細に説明したが、本発明では、タイマー装置を持たない無線機であっても、統制局１０２の時刻情報と故障チェック結果を関連付けて無線機１０１のメモリ（または、記憶部）７０２に記憶することができる。このようにして障害発生内容が記憶部７０２に表４に示される障害履歴テーブルとして記録されているので、例えば、無線機１０１から定期的に表４に示される障害履歴テーブルの内容を基地局無線機６０５を介して統制局１０２に送信したり、あるいは、統制局１０２の操作部３０４を操作して無線機１０１の記憶部７０２の表４の障害履歴テーブルを読み出し、統制局１０２の表示部３０３に表示して、時間情報に関連して障害の解析を行うことができ、操作者は、無線機１０１の障害内容を把握することができる。また、外部ＩＦ部７０５にパソコン等を接続し、記憶部７０２に記憶している障害内容を読み出して確認することもできる。更にまた、無線機１０１本体の表示部４１０に障害内容を表示することも可能である。従って、システム内の何らかの原因により、データ端末〜統制局間の通信に障害が発生した場合に、障害原因解析の一手段として、本無線機に記憶されている障害履歴テーブルを調べることで、システムの障害を発見することが容易となる。なお、上記実施例では、統制局１０２の時間情報を用いる場合について説明したが、これに限られるものではなく、例えば、データ端末装置には、標準の時間情報を持つ装置も多くあるので、標準の時間情報を持つ端末装置から時間情報を入手し、無線機１０１のＲＡＭ２０２に記憶するようにすることも容易に実施することができる。
【００４８】
このように時間枠単位に、時間情報に関連付けて障害情報を記録することができる。従って、時間情報の記録が間欠的または定期的に行われるので、時間情報を絶えず記録するような場合に比較してＭＰＵの負担を大幅に軽減できる特徴がある。特に、小規模の無線機ではＭＰＵの機能は、極力制限されるので、このような無線機には、極めて好都合である。
【００４９】
次に、本発明の他の一実施例について、図９を用いて説明する。先に説明した実施例では、ＲＡＭに記憶されている時間枠単位に、時間情報に関連付けて障害情報を記録する場合について説明したが、時間枠が５分とか、１０分とかの間隔では、あまりにも大まか過ぎる場合もありうる。そのような場合には、時間枠を１分とか、２分とかに短くすることも考えられるが、時間枠を短くするとＣＰＵの負担が増大する。図９に示す実施例では、簡単な構成でおおよその時刻を設定する実施例を示している。
【００５０】
図９（Ａ）において、９０１は、クロックパルス発生器である。このクロックパルス発生器９０１は、例えば、無線機１０１のＭＰＵ２０１に設けられ、無線機１０１が動作するためのクロックパルスを生成している。このクロックパルス発生器９０１の出力をカウンター９０２に入力する。なお、カウンター９０２もＣＰＵ２０１に設けられている。このカウンター９０２には、カウンター・リセット端子９０３が設けられている。カウンター９０２の出力は、ＲＡＭ２０２に入力される。
【００５１】
次に、この回路の動作を図９（Ｂ）を用いて説明する。図９（Ｂ）において、９０４は、クロックパルス発生器９０１からのクロック列を示す。カウンター９０２は、クロックパルス発生器９０１からのクロックパルスを０、１、２、３、・・・とカウントする。そして、カウンター・リセット端子９０３からのリセット入力で、カウンター９０２は、リセットされ、再度、０、１、２、３、・・・をカウントし、この動作を繰返す。ここで、リセット入力とは、例えば、表４に示す12時00分00秒、12時05分00秒、・・・等の時間枠情報に相当する。即ち、ＭＰＵ２０１が統制局１０２から送られてくる時間情報を検出すると、例えば、12時00分00秒を検出すると、ＲＡＭ２０２に、この時間情報を記録すると共に、カウンター・リセット端子９０３にパルスを印加し、カウンター９０２をリセットする。これによってカウンター９０２は、０からカウントを開始する。例えば、カウント０の状態を図９（Ｂ）のパルス数０個、時間情報12.00.00 とする。なお、図９に示す実施例では、クロックパルス発生器９０１は、例えば、６０個／秒のパルスを発生するものとして説明するが、これに限定されるものではない。
【００５２】
さて、例えば、前述したように電源スイッチ７０９がオンされ、電圧監視部７０７での電圧チェック結果がＭＰＵ２０１に出力される。この時のカウンター９０２のパルスのカウント値が５４００個とすると、その時の時刻は、おおよそ12.01.30であるので、この時刻（又は、パルス数５４００個）を電圧チェック結果とともにメモリ７０２に記憶する。なお、パルス数あるいはパルス数に対応する時刻情報をカウント値に関係する情報と称する。同様に、メモリ７０２のチェック結果がＭＰＵ２０１に入力される。この時のカウンター９０２のパルスのカウント値が１５６６０個とすると、その時の時刻は、おおよそ12.04.21であるので、このカウント値に関係する情報（時刻あるいはパルス数１５６６０個）をメモリ７０２のチェック結果とともにメモリ７０２に記憶する。このように構成すると、無線機１０１にタイマーを持たなくとも、おおよその時間情報と関連付けて障害情報を記録することができるので、障害情報の解析等に有効である。
【００５３】
以上、本発明について詳細に説明したが、本発明は、ここに記載された無線通信システムの実施例に限定されるものではなく、上記以外の無線通信システムに広く適応することが出来ることは、言うまでも無い。
【図面の簡単な説明】
【００５４】
【図１】本発明の一実施例の概略構成のブロック図を示す。
【図２】本発明の無線機の障害記録方法を説明するためのブロック図である。
【図３】本発明の一実施例で用いられる統制局および基地局の概略構成のブロック図を示す。
【図４】本発明の一実施例で用いられる無線機の概略構成のブロック図を示す。
【図５】本発明の一実施例で用いられる信号フォーマットを説明するための図である。
【図６】従来の無線通信システムの一例の概略構成のブロック図を示す。
【図７】従来の無線機の障害記録方法を説明するためのブロック図である。
【図８】従来の無線通信システムで用いられる信号フォーマットを説明するための図である。
【図９】本発明の他の一実施例を説明するための図である。
【符号の説明】
【００５５】
１０１、６０２：無線機、１０２、６０６：統制局、１０３：タイマー、２０１、７０１：ＭＰＵ、２０２：ＲＡＭ、２０３、２０４、２０５：電圧端子、３０１：制御部、３０２：記憶部、３０３、４１０：表示部、３０４、４１１：操作部、３０５：送信用無線機、３０６：受信用無線機、４０１：アンテナ、４０２：切替えスイッチ、４０３：受信部、４０４、４０８：高周波部、中間周波部、４０５：受信信号処理部、４０６：周波数シンセサイザ、４０７：送信部、４０９：送信信号処理部、６０１：情報端末装置、６０３：データ端末装置、６０４、６０７：伝送路、６０５：基地局無線機、７０２：メモリ、７０３：ＬＳＩ、７０４：送信／受信部、７０５：外部ＩＦ部、７０６：バッテリ、７０７：電圧監視部、７０８：電源部、７０９：スイッチ、９０１：クロックパルス発生器、９０２：カウンター、９０３：リセット端子。
【図１】
2008288671.tif 000007
【図２】
2008288671.tif 000008
【図３】
2008288671.tif 000009
【図４】
2008288671.tif 000010
【図５】
2008288671.tif 000011
【図６】
2008288671.tif 000012
【図７】
2008288671.tif 000013
【図８】
2008288671.tif 000014
【図９】
2008288671.tif 000015